(57)【要約】      （修正有）【課題】上からの力に対して比較的強度が高く、かつ組み立てることが容易な容器を提供する。【解決手段】容器１０は、底面部１１と、該底面部の周縁部に設けられた複数の側壁部１２，１３，１４，１５とを備え、前記底面部と前記側壁部とは、シート状の基材の一部を折り曲げることにより形成されており、前記複数の側壁部は、挿入片１３ｂを備えた第１側壁部１２，１３と、前記挿入片と係合する溝および前記溝と接続している切欠１４ｅ，１５ｅが形成された第２側壁部１４，１５とを少なくとも備えている切欠内に挿入された挿入片の角度が比較的立った状態となり、かつ溝と挿入片とが係合している。したがって、容器の収容空間を取り囲む側壁部を比較的容易に組み立てることができるとともに、製造された容器の上からの力に対する強度を向上し得る。【選択図】図１
2018104024.tif 000002
【特許請求の範囲】
【請求項１】
底面部と、該底面部の周縁部に設けられた複数の側壁部とを備え、前記底面部と前記側壁部とは、シート状の基材の一部を折り曲げることにより形成されており、
前記複数の側壁部は、挿入片を備えた第１側壁部と、前記挿入片と係合する溝および前記溝と接続している切欠が形成された第２側壁部とを少なくとも備えており、
前記第２側壁部は、前記溝内および前記切欠内に前記挿入片が挿入されることによって第１側壁部に接続されており、
前記切欠は、下方に向かうにつれ第１側壁部に向かっている辺であって、前記挿入片が前記切欠内に挿入される際に、前記溝と前記切欠との接続部分よりも第１側壁部から遠い位置において挿入片の先端と当接しつつ、前記先端を下方に向かって案内可能な辺を備えているとともに、前記先端が案内されている間に、前記シート状の基材の前記切欠内における移動を阻害しない広さを有する空間を有している、
容器。
【発明の詳細な説明】
【技術分野】
【０００１】
本発明は、容器に関し、より詳細には、シート状の基材の一部が折り曲げられて側壁部が形成された容器に関する。
【背景技術】
【０００２】
従来、菓子類、化粧品、薬剤などの収容物を収容する容器として、一枚のシート状の基材（型紙）を折り曲げることにより容器とされるものが知られている（特許文献１）。
【０００３】
特許文献１に記載の容器は、矩形状の底面部用基材と、該底面部用基材の四側辺から外方に延出する延出片とを備える一枚の型紙を折り曲げることにより形成されている。該容器においては、該延出片を内方に折り曲げ、断面矩形の方筒状に折り返すことによって側壁部が構築されている。
【０００４】
より詳しくは、対向する一対の延出片を内方に折り曲げることによって、一方の一対の側壁部が形成されている。該一対の側壁の両端側には、切欠がそれぞれ一対ずつ形成されており、対向する他方の一対の延出片を内方に折り曲げながら、先部である挿入片を前記一対の切欠内にそれぞれ挿入することによって、他方の一対の側壁部が形成されている。
【先行技術文献】
【特許文献】
【０００５】
【特許文献１】実開昭４８−７４４４号公報
【発明の概要】
【発明が解決しようとする課題】
【０００６】
ところで、上記の容器では、側壁部の上からの力に対する強度を出すためには、挿入後の挿入片（側壁部の内側）をある程度立たせる必要がある。したがって、前記切欠は、上方から下方に略垂直に延びる長孔状に形成されている。
【０００７】
しかしながら、このような切欠が形成された容器では、挿入片を切欠に挿入する際に、挿入片の先を弾性変形させて立たせた状態で挿入する必要があり、組み立て難いという問題がある。この問題は、基材が硬いものである場合、より一層顕著となる。
【０００８】
このような事情に鑑み、本発明は、上からの力に対して比較的強度が高く、かつ組み立てることが容易な容器を提供することを課題とする。
【課題を解決するための手段】
【０００９】
本発明に係る容器は、底面部と、該底面部の周縁部に設けられた複数の側壁部とを備え、前記底面部と前記側壁部とは、シート状の基材の一部を折り曲げることにより形成されており、前記複数の側壁部は、挿入片を備えた第１側壁部と、前記挿入片と係合する溝および前記溝と接続している切欠が形成された第２側壁部とを少なくとも備えており、前記第２側壁部は、前記溝内および前記切欠内に前記挿入片が挿入されることによって第１側壁部に接続されており、前記切欠は、下方に向かうにつれ第１側壁部に向かっている辺であって、前記挿入片が前記切欠内に挿入される際に、前記溝と前記切欠との接続部分よりも第１側壁部から遠い位置において挿入片の先端と当接しつつ、前記先端を下方に向かって案内可能な辺を備えているとともに、前記先端が案内されている間に、前記シート状の基材の前記切欠内における移動を阻害しない広さを有する空間を有している。
【００１０】
斯かる構成によれば、上記容器を組み立てる場合において、第１側壁部の挿入片を切欠内に挿入する際に、挿入片は溝と切欠との接続部分より第１側壁部から離れた位置において、切欠の、下方に向かうにつれて第１側壁部に向かっている辺に当接するので、挿入片を第２側壁部に形成された溝および切欠内に容易に挿入できる。さらに、切欠内に挿入された挿入片が、切欠の、下方に向かうにつれて第１側壁部に向かっている辺に案内されて第１側壁部側に戻されるため、切欠内に挿入された挿入片の角度が比較的立った状態となり、かつ溝と挿入片とが係合している。したがって、容器の収容空間を取り囲む側壁部を比較的容易に組み立てることができるとともに、製造された容器の上からの力に対する強度を向上し得る。
なお、本明細書において、「切欠が、挿入片の先端が案内されている間に、挿入片の切欠内における移動を阻害しない」とは、前記先端が案内されている間において、挿入片が、切欠の、下方に向かうにつれて第１側壁部に向かっている辺と対向する辺と接触していないことをいう。
【発明の効果】
【００１１】
以上のように、本発明によれば、上からの力に対して比較的強度が高く、かつ組み立てることが容易な容器が提供される。
【図面の簡単な説明】
【００１２】
【図１】本発明の実施形態に係る容器の斜視図。
【図２】本発明の実施形態に係る容器の上面板図。
【図３】本発明の実施形態に係る容器の展開図。
【図４】図３の展開図の切欠周辺を拡大した拡大図。
【図５】本発明の実施形態に係る容器が組み立てられる途中経過を示す平面図。
【図６】本発明の実施形態に係る容器が組み立てられる際に、前壁部の内側面部が、右壁及び左壁部の切欠内に差し込まれる途中経過を示す部分上面板図。
【図７】本発明の実施形態に係る容器が組み立てられる際に、前壁部の内側面部が、左壁部の切欠内に差し込まれる途中過程を示す部分側断面図。
【図８】本発明の実施形態に係る容器が組み立てられる際に、前壁部の内側面部が、左壁部の切欠内に差し込まれた状態を示す部分側断面図。
【図９】本発明の実施形態に係る容器が組み立てられる際に、前壁部の内側面部が、左壁部の切欠内に差し込まれた状態を示す部分上面板図。
【図１０】本発明のさらに他の実施形態に係る容器の展開図において、切欠周辺を拡大した拡大図。
【図１１】本発明のさらに他の実施形態に係る容器が組み立てられる際に、前壁部の内側面部が、左壁部の切欠内に差し込まれる途中経過を示す部分側断面図。
【図１２】本発明の別の実施形態に係る容器の展開図において、切欠周辺を拡大した拡大図。
【発明を実施するための形態】
【００１３】
以下、図面を参照しながら、本発明の一実施形態について説明する。
【００１４】
本実施形態に係る容器１０は、底面部１１と、該底面部１１の周縁部に設けられた複数の側壁部１２〜１５とを備え、前記底面部１１と前記側壁部１２〜１５とは、シート状の基材１０の一部を折り曲げることにより形成されており、前記複数の側壁部１２〜１５は、挿入片（内側面部）１３ｂを備えた第１側壁部１２，１３と、前記挿入片（内側面部）１３ｂと係合する溝１４ｄ，１５ｄおよび前記溝と接続している切欠１４ｅ，１５ｅが形成された第２側壁部１４，１５とを少なくとも備えており、前記第２側壁部１４，１５は、前記溝１４ｄ，１５ｄ内および前記切欠内１４ｅ，１５ｅに前記挿入片（内側面部）１３ｂが挿入されることによって第１側壁部１２，１３に接続されており、前記切欠１４ｅ，１５ｅは、下方に向かうにつれ第１側壁部１２，１３に向かっている辺としての斜辺（案内辺）１４ｅ２〜１５ｅ２であって、前記挿入片（内側面部）１３ｂが前記切欠１４ｅ，１５ｅ内に挿入される際に、前記溝１４ｄ，１５ｄと前記切欠１４ｅ，１５ｅとの接続部分よりも第１側壁部１２，１３から遠い位置において挿入片（内側面部）１３ｂの先端と当接しつつ、前記先端を下方に向かって案内可能な辺としての斜辺（案内辺）１４ｅ２〜１５ｅ２を備えているとともに、前記先端が案内されている間に、前記シート状の基材１０の前記切欠１４ｅ，１５ｅ内における移動を阻害しない広さを有する空間を有している。
【００１５】
本実施形態に係る容器１０は、図３に示す展開図に対応する平面形状を備えた厚紙を折り曲げて組み立てられるものである。その組み立て方法については後述する。
【００１６】
容器１０は、図１および図２に示すように、平面矩形状の底面部１１と、底面部１１の四辺から立ち上がる４つの側壁部１２，１３，１４，１５を備えている。側壁部１２，１３，１４，１５は略同じ高さを有している。容器１０内には、底面部１１と、側壁部１２，１３，１４，１５とによって囲まれ、上方が開放された収容空間Ｓが形成されている。
なお、本実施形態では、便宜上、第１側壁部１２，１３の一方を前壁部、他方を後壁部と称し、第２側壁部１４，１５の一方を左壁部、他方を右壁部と称する。
【００１７】
側壁部１２，１３，１４，１５は、具体的には、底面部１１の前後方向に対向する一対の辺の全域から立ち上がる前壁部１２および後壁部１３と、前壁部１２と後壁部１３との間において、底面部１１の左右方向に対向する一対の辺から立ち上がる右壁部１４及び左壁部１５とを備えている。
【００１８】
側壁部１２，１３，１４，１５は、２枚の厚紙からなる壁面より構成された二重壁としてそれぞれ形成されている。具体的には、側壁部１２，１３，１４，１５は、底面部１１の四辺に接続されて立ち上がる外側面部１２ａ，１３ａ，１４ａ，１５ａと、底面部１１の面上から立ち上がり、外側面部１２ａ，１３ａ，１４ａ，１５ａと間隔を隔てて略平行に対向する内側面部１２ｂ，１３ｂ，１４ｂ，１５ｂと、外側面部１２ａ，１３ａ，１４ａ，１５ａの上辺と内側面部１２ｂ，１３ｂ，１４ｂ，１５ｂの上辺とを接続する上面部１２ｃ，１３ｃ，１４ｃ，１５ｃによりそれぞれ構成される。
【００１９】
前壁部１２、後壁部１３、左壁部１４および右壁部１５の幅は、容器の寸法、使用する厚紙の種類、および坪量に応じて、適宜設定される。
例えば、容器の寸法が１００ｍｍ四方以下であり、厚紙がバージンパルプ１００％であり、その坪量が３１０ｇ／ｍ２である場合には、前記各壁部の幅は、通常５〜１０ｍｍの範囲に設定される。
【００２０】
前壁部１２及び後壁部１３の内側面部１２ｂ，１３ｂの左右方向側端部は、それらの右方向側端部が右壁部１４に形成された溝１４ｄ，１４ｄ及び溝１４ｄ，１４ｄと接続して収容空間Ｓに面する切欠１４ｅ，１４ｅ内に、それらの左方向側端部が左壁部１５に形成された溝１５ｄ，１５ｄ及び溝１５ｄ，１５ｄと接続して収容空間Ｓに面する切欠１５ｅ，１５ｅ内に差し込まれている。この差し込みにより、前壁部１２及び後壁部１３と、右壁部１４及び左壁部１５とが接続されている。
【００２１】
切欠１４ｅ，１４ｅ及び１５ｅ，１５ｅは、切欠かれた形状が、底面部１１側を頂点とする略逆三角錐形状となっている。切欠１４ｅ，１４ｅ及び１５ｅ，１５ｅは、本実施形態の容器１０を組み立てる際に有用な部分であり、その作用については後述する。
【００２２】
次に、本実施形態の容器１０の製造方法の一例について説明する。
【００２３】
まず、容器１０を作製するにあたり、まず、図３に示す展開図に対応する平面形状を備えた厚紙１０を用意する。なお、容器１０の展開図を示す図面はいずれも、容器１０を組み立てた際に収容空間Ｓが開放される方向（上方向）から見た図であって、これらの図中では、輪郭線及び切込線を実線で表し、谷折り線を破線、山折り線を一点鎖線で示す。また、以下の説明において、特に付記しない限り、各面は略矩形状である。
【００２４】
図３に示したように、上記厚紙１０は、底面部１１と、底面部１１の四辺から延びている４つの延出片１２，１３，１４，１５を備えている。底面部１１と、これら４つの延出片１２，１３，１４，１５とは、それぞれ谷折り線を介して連接されている。なお、これら４つの延出片１２，１３，１４，１５は、厚紙１０が組み立てられた際に、側壁部１２，１３，１４，１５となる部分である。
以下、これらの４つの壁部のそれぞれに関して、各壁部の延びる方向を前方、該方向と直交する外向きの方向を側方と称して説明する。
【００２５】
前壁部１２および後壁部１３となる延出片１２，１３は、それぞれ、矩形状の底面部１１の対向する一対の辺から延びており、外側面部１２ａ，１３ａと、上面部１２ｃ，１３ｃと、内側面部１２ｂ，１３ｂとを、前方に向かってこの順番で備えている。これらの面部はそれぞれ、谷折り線を介して連接されている。
【００２６】
上面部１２ｃ，１３ｃの側方両端には、前方に向かって僅かに突出した突出部１２ｃ１，１２ｃ１及び１３ｃ１，１３ｃ１が形成されており、内側面部１２ｂ，１３ｂの側方両端は、上面部１２ｃ，１３ｃの突出部１２ｃ１，１２ｃ１及び１３ｃ１，１３ｃ１を受けるように凹入した形状の陥没部１２ｂ１，１２ｂ１及び１３ｂ１，１３ｂ１が形成されている。ここで、突出部１２ｃ１，１２ｃ１及び１３ｃ１，１３ｃ１と、陥没部１２ｂ１，１２ｂ１及び１３ｂ１，１３ｂ１との境界は切り込まれて、切り込み１２ｄ，１３ｄとなっている。そして、上面部１２ｃ，１３ｃと内側面部１２ｂ，１３ｂとを連接する谷折り線は、突出部１２ｃ１と１２ｃ１との、及び、１３ｃ１と１３ｃ１との根元同士を接続するように、それぞれ直線状に延びている。
【００２７】
また、内側面部１２ｂ，１３ｂは、その前方の辺が短くなっている略台形形状となっており、一対の側方の辺が、外方に膨らむように丸みを帯びている。
【００２８】
右壁部１４及び左壁部１５となる延出片１４，１５は、それぞれ、矩形状の底面部１１の別の対向する一対の辺から延びており、外側面部１４ａ，１５ａと、上面部１４ｃ，１５ｃと、内側面部１４ｂ，１５ｂとを、前方に向かってこの順番で備えている。これらの面はそれぞれ、谷折り線を介して連接されている。
【００２９】
外側面部１４ａ，１５ａの側方の両辺からは、フラップ１４ｆ，１４ｆ及び１５ｆ，１５ｆが延びている。外側面部１４ａ，１５ａとフラップ１４ｆ，１４ｆ及び１５ｆ，１５ｆとは、それぞれ谷折り線を介して連接されている。
【００３０】
右壁部１４及び左壁部１５となる延出片１４，１５の側方両辺付近には、その上面部１４ｃ，１５ｃ上において、外側面部１４ａ，１５ａと上面部１４ｃ，１５ｃとを連接する谷折り線（上面部１４ｃ，１５ｃの後方の辺）から垂直に、所定の長さの溝１４ｄ，１４ｄ及び１５ｄ，１５ｄが延びている。そして、溝１４ｄ，１４ｄ及び１５ｄ，１５ｄの該谷折り線と接続している端とは反対側の端が、略三角形状の切欠１４ｅ，１４ｅ及び１５ｅ，１５ｅの頂点付近に接続している。切欠１４ｅ，１５ｅは、上面部１４ｃ，１５ｃ及び内側面部１４ｂ，１５ｂを跨いで形成されている。
【００３１】
図４を参照して、切欠１４ｅ，１５ｅについて具体的に説明する。切欠１４ｅ，１５ｅは、溝１４ｄ，１４ｄ及び１５ｄ，１５ｄの端から、上面部１４ｃ，１５ｃと内側面部１４ｂ，１５ｂとを連接する谷折り線（上面部１４ｃ，１５ｃの前方の辺かつ内側面部１４ｂ，１５ｂの後方の辺）と交わるまで、上面部１４ｃ，１５ｃ上において中央方向に向かって傾斜して延びている導入辺１４ｅ１，１５ｅ１と、該谷折り線との交点側の導入辺１４ｅ１，１５ｅ１の端から、内側面部１４ｂ，１５ｂの前方の辺と交わるまで、内側面部１４ｂ，１５ｂ上において外方に向かって傾斜して延びている案内辺１４ｅ２，１５ｅ２と、該前方の辺との交点側の該案内辺１４ｅ２，１５ｅ２の端から、溝１４ｄ，１４ｄ及び１５ｄ，１５ｄと導入辺１４ｅ１，１５ｅ１との交点に到るまで、上面部１４ｃ，１５ｃ上において略垂直に延びている配置辺１４ｅ３，１５ｅ３とに囲まれた、略三角形状の空間である。なお、本実施形態では、配置辺１４ｅ３，１５ｅ３は、溝１４ｄ，１４ｄ及び１５ｄ，１５ｄよりも僅かに外方に位置しており、溝１４ｄ，１４ｄ及び１５ｄ，１５ｄと交わる付近において、溝１４ｄ，１４ｄ及び１５ｄ，１５ｄと交わるよう内向きに曲がっている。また、案内辺１４ｅ２，１５ｅ２と配置辺１４ｅ３，１５ｅ３とが交わる頂点は、丸められた形状となっている。
【００３２】
また、右壁部１４及び左壁部１５となる延出片１４，１５の前方の辺、すなわち、内側面部１４ｂ，１５ｂの前方の辺からは、底面接着面１４ｇ，１５ｇが延びている。内側面部１４ｂ，１５ｂと底面接着面１４ｇ，１５ｇとは、それぞれ山折り線を介して連接されている。
【００３３】
次に、以下のようにして、容器１０を組み立てる。まず、図５に示すように、厚紙１０の右壁部及び左壁部１４，１５となる延出片１４，１５を、外側面部１４ａ，１５ａと上面部１４ｃ，１５ｃとを連接する谷折り線に沿って折り曲げて、底面部１１と底面接着面１４ｇ，１５ｇとを重ね合わせて、底面部１１と底面接着面１４ｇ，１５ｇとを接着する。
続いて、延出片１４，１５のそれぞれの折り線を折り曲げて、延出片１４，１５がそれぞれの折り線に沿って略９０°ずつ折れ曲がった状態とし、それにより右壁部及び左壁部１４，１５を形成する。これにより、溝１４ｄ，１４ｄ及び１５ｄ，１５ｄと、底面部１１側を頂点とする逆三角錐形状の切欠１４ｅ，１４ｅ及び１５ｅ，１５ｅとが形成された右壁部及び左壁部１４，１５が形成される。
【００３４】
次に、厚紙１０の前壁部１２及び後壁部１３となる各面を折り曲げると共に、前壁部１２及び後壁部１３の内側面部１２ｂ，１３ｂの側方両端を、右壁部１４及び左壁部１５に形成された切欠１４ｅ，１４ｅ及び１５ｅ，１５ｅ内へと差し込む。これにより、前壁部１２及び後壁部１３を形成すると共に、右壁部１４及び左壁部１５を固定して、容器１０を完成させる。
【００３５】
内側面部１２ｂ，１３ｂを切欠１４ｅ，１４ｅ及び１５ｅ，１５ｅ内へと差し込むメカニズムについて、内側面部１３ｂ及び切欠１５ｅに着目し、図６〜９を用いて具体的に説明する。図６及び７は、内側面部１３ｂの側方端部（以下、単に内側面部１３ｂと称する）を、切欠１５ｅ内に差し込み始めたときの状態を示す。まず、内側面部１３ｂの前方を、導入辺１５ｅ１に沿って切欠１５ｅ内へと入り込ませる。内側面部１３ｂは、その前方の幅が右壁部及び左壁部１４，１５の内側面部１４ｂ，１５ｂの間の距離よりも長く、かつ溝１４ｄ，１５ｄの内側端縁よりも短くなっているため、切欠１５ｅ内へと容易に入り込むことができる。
【００３６】
内側面部１３ｂを導入辺１５ｅ１に沿って切欠１５ｅ内に入り込ませると、内側面部１３ｂの側方の丸みを帯びた辺が、導入辺１５ｅ１に当接する。この状態から内側面部１３ｂを切欠１５ｅ内に押し込むと、内側面部１３ｂの側方の丸みを帯びた辺と導入辺１５ｅ１との当接する部分が切欠１５ｅの外方（前壁部１２側）へと移動してゆき、やがて内側面部１３ｂの側方の丸みを帯びた辺が導入辺１５ｅ１の端部と接続している溝１５ｄへと案内される。これにより、内側面部１２ｂの側方の端が、溝１５ｄに挟み込まれる。
【００３７】
上記状態から内側面部１３ｂを押し込み続けると、次に、図７に示すように、内側面部１３ｂの前方の辺が、溝１５ｄと切欠１５ｅとの接続部分よりも後壁部１３から遠い位置において、案内辺１５ｅ２に当接する。この状態から内側面部１３ｂを押し込むと、内側面部１３ｂが案内辺１５ｅ２と当接しつつ、外方（左壁部１５の端側）に向かって傾く案内辺１５ｅ２に沿って斜め下方へと移動してゆき、やがて案内辺１５ｅ２の下方の端部まで案内される。これにより、内側面部１３ｂの前方の辺は、切欠１５ｅでの移動を阻害されることなく、切欠１５ｅの最深部（すなわち、底面部１１の高さ）まで案内されて、切欠１５ｅ内にほぼ完全に差し込まれる。
【００３８】
内側面部１３ｂの前方の辺が切欠１５ｅ内にほぼ完全に差し込まれると、図８に示すように、溝１５ｄ及び切欠１５ｅを介して左壁部１５に接続された後壁部１３が形成される。このとき、内側面部１３ｂは、切欠１５ｅの略垂直な配置辺１５ｅ３にほぼ面して配置され、底面部１１より略垂直に立ち上がる後壁部１３の内側面を形成する。
【００３９】
このように、本実施形態における容器１０の作製では、内側面部１３ｂを切欠１５ｅ内に挿入する際に、内側面部１３ｂは溝１５ｄと切欠１５ｅとの接続部分より第１側壁部１２，１３から離れた位置において切欠１５ｅの案内辺１５ｅ２に当接するので、内側面部１３ｂを第２側壁部１４，１５に形成された溝１５ｄ及び切欠１５ｅ内に容易に挿入できる。したがって、後壁部１３を比較的容易に組み立てることができる。
さらに、切欠１５ｅ内に挿入された内側面部１３ｂが、切欠１５ｅの案内辺１５ｅ２に案内されて後壁部１３側に戻されるため、切欠１５ｅ内に挿入された内側面部１３ｂの角度が比較的立った状態となる。したがって、後壁部１３の上からの力に対する強度が向上し得る。
【００４０】
さらに、本実施形態では、配置辺１５ｅ３は、溝１５ｄよりも僅かに外方（左壁部１５の端側）に配されるように形成されているため、内側面部１３ｂは、溝１５ｄより僅かに外方（後壁部１３側）に配置されることができる。このとき、内側面部１３ｂの陥没部１３ｂ１の側方長さが溝１５ｄの長さよりも長いと、図９に示すように、溝１５ｄより差し込まれた内側面部１３ｂの陥没部１３ｂ１が、上面部１５ｃの下方（裏側）に入り込むことができる。これにより、内側面部１３ｂがほぼ完全に差し込まれた状態から内側面部１３ｂに対して上方向に力が加わったとしても、上面部１５ｃの下方に入り込んだ陥没部１３ｂ１がすぐ上に位置する上面部１５ｃに引っ掛かるため、内側面部１３ｂが切欠１５ｅから不意に抜けることが防止される。
なお、このとき、上面部１３ｃの突出部１３ｃ１は、その先端（切り込み１３ｄ）が溝１５ｄと重なるように配置される。
【００４１】
なお、前壁部１２の内側面部１２ｂ及び後壁部１３の内側面部１３ｂを切欠１４ｅ，１４ｅ及び１５ｅ，１５ｅ内へと差し込む際に、右壁部１４及び左壁部１５のフラップ１４ｆ，１４ｆ及び１５ｆ，１５ｆが、前壁部１２の内側面部１２ｂ及び後壁部１３の内側面部１３ｂに面するようにして、前壁部及び後壁部１２，１３内に配される。これらのフラップ１４ｆ，１４ｆ及び１５ｆ，１５ｆは、前壁部１２の内側面部１２ｂ及び後壁部１３の内側面部１３ｂが、切欠１５ｅに差し込まれた状態で右壁部１４及び左壁部１５に上方からの圧力が加えられた際において、容器１０の立体形状を保持するのに役立つ。
【００４２】
上記のように組み立てられた容器１０は、収容空間Ｓを閉塞する蓋体と組み合わせて用いられてもよいし、中空のケースと組み合わせて用いられてもよい。あるいは、蓋体やケースなどと組み合わせずに、そのままの状態で用いられてもよい。
【００４３】
上述の実施形態は、本発明を説明するためのものであり、本発明の範囲を限定するものではない。つまり、本発明の範囲は、実施形態ではなく、特許請求の範囲によって示される。そして、特許請求の範囲内およびそれと同等の発明の意義の範囲内で施される様々な変形が、本発明の範囲内とみなされる。
【００４４】
上記実施形態においては、図５に示したように、切欠１５ｅの案内辺１５ｅ２が、導入辺１５ｅ１との連接位置から略直線状に延びた形状を有する例について示したが、案内辺１５ｅ２の形状はこれに限られるものではない。例えば、図１０および１１に示すように、案内辺１５ｅ２は、導入辺１５ｅ１との連接位置から外方に膨らむような円弧状に延びた形状を有していてもよい。
【００４５】
上記実施形態においては、配置辺１４ｅ３，１５ｅ３が、溝１４ｄ，１４ｄ及び１５ｄ，１５ｄよりも僅かに外方に位置し、溝１４ｄ，１４ｄ及び１５ｄ，１５ｄと交わる付近において、溝１４ｄ，１４ｄ及び１５ｄ，１５ｄと交わるように内向きに曲がった形状を有する例について説明したが、配置辺１４ｅ３，１５ｅ３の形状はこれに限られない。図１２に示すように、配置辺１４ｅ３，１５ｅ３は、溝１４ｄおよび溝１５ｄと略一直線状になるような形状を有していてもよい。
【符号の説明】
【００４６】
１０  容器、１２  前壁部（壁部）、１３  後壁部（壁部）、１４  右壁部（壁部）、１５  左壁部（壁部）、Ｓ  収容空間、
１２ｂ〜１５ｂ  内側面部、１２ｃ〜１５ｃ  上面部、１２ｄ〜１５ｄ  溝、１４ｅ〜１５ｅ  切欠、
１４ｅ２〜１５ｅ２  案内辺
【図１】
2018104024.tif 000003
【図２】
2018104024.tif 000004
【図３】
2018104024.tif 000005
【図４】
2018104024.tif 000006
【図５】
2018104024.tif 000007
【図６】
2018104024.tif 000008
【図７】
2018104024.tif 000009
【図８】
2018104024.tif 000010
【図９】
2018104024.tif 000011
【図１０】
2018104024.tif 000012
【図１１】
2018104024.tif 000013
【図１２】
2018104024.tif 000014